(57)【要約】【課題】  通信ネットワークにおいて、加入者識別カードと協働する通信装置の設定を自動的に確立するための方法を提供する。【解決手段】  本発明による通信装置の自動設定方法においては、カードを用い、ネットワークを経由して装置の識別子の検出および通信を行ってから、装置の設定が実施される。この方法は、カードに格納されたイベントまたはイベントの不在によって設定要件を検出する予備段階を備える。また、本発明は、関連するシステムおよびカードを提供する。【選択図】  図１
2005168033.tif 000002
【特許請求の範囲】
【請求項１】
無線通信ネットワークにおいて加入者識別カードと協働する通信装置の設定を自動的に確立するための方法であって、
前記装置の前記設定は、前記カードにより前記ネットワークを経由して識別子の検出および通信を行った後で前記ネットワークを介して行われ、
前記方法は、前記カードに格納されたイベントまたはイベントの不在により設定要件を検出する予備段階を備えることを特徴とする方法。
【請求項２】
請求項１に記載の通信装置の自動設定方法において、
前記方法は、設定要件を検出するために、少なくとも１つのテスト段階を備え、
前記テスト段階は、
ａ）  現在の装置が前記カードにより既に識別されている
ｂ）  前記装置が既に設定されている
ｃ）  ユーザの設定操作が最大値に達している
のうち少なくとも１つの条件が満たされていることを判断することからなることを特徴とする方法。
【請求項３】
請求項１または２のいずれかに記載の通信装置の自動設定方法において、
テストｂ）は前記現在の装置がある状況に関係してまたは関係せずに既に設定されているか否かを判断することからなることを特徴とする方法。
【請求項４】
請求項３に記載の通信装置の自動設定方法において、
前記状況は、既に使用されているネットワークの表示および／または前記装置が位置する地理的な場所の表示および／または前記ネットワーク技術のタイプの表示および／または前記ネットワークの事業者の表示および／または基準の表示を備えることを特徴とする方法。
【請求項５】
請求項１乃至４のいずれかに記載の通信装置の自動設定方法において、
メモリ領域には、カードと協働する装置の各識別子と、
・装置が設定済みであるか否か
・設定操作の回数
・設定の状況
の一群のイベントから各装置の設定に関係するイベントとがリストアップされることを特徴とする方法。
【請求項６】
請求項１乃至５のいずれかに記載の通信装置の自動設定方法において、
前記イベントが前記カードに保存され、また／あるいは前記テストが前記カードにおいて実行されることを特徴とする方法。
【請求項７】
通信装置のための無線通信ネットワークシステムであって、
ネットワークを介して装置を自動設定するためのサーバを備え、
前記サーバは、
前記カードと協働する装置の識別子と、各装置の設定に関係するイベントおよび／または基準とをリストアップする少なくとも１つのメモリ領域と、
前記イベントをリストアップし、イベントおよび／またはリストアップされた基準の有無に従って設定要件を検出することのできる少なくとも１つのアプリケーションと、を備えることを特徴とするシステム。
【請求項８】
通信ネットワークにおける通信サービスを可能にするための移動体通信装置との協働が可能な加入者識別カードであって、
各装置と関係し、前記各装置の設定に関係するイベントをリストアップするとともに、前記アプリケーションによって保存されたイベントの有無に従って前記装置の設定要件を検出することのできるアプリケーションを備えることを特徴とする加入者識別カード。
【請求項９】
請求項８に記載の加入者識別カードにおいて、
前記カードは、前記カードと協働する装置の識別子のリストと、
・装置が設定済みであるか否か
・設定状況
・設定操作の回数
の一連のイベントからの対応するイベントのリストとを備えることを特徴とする加入者識別カード。
【請求項１０】
請求項８に記載の加入者識別カードにおいて、
前記設定要件は、ネットワーク技術のタイプおよび／またはネットワーク事業者に関係する表示に従って検出されることを特徴とする加入者識別カード。
【発明の詳細な説明】
【技術分野】
【０００１】
本発明は無線通信ネットワーク、特にＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）型の無線通信ネットワークに関する。
より詳細には、本発明はＳＩＭ（Ｓｕｂｓｃｒｉｂｅｒ  Ｉｄｅｎｔｉｔｙ  Ｍｏｄｕｌｅ）やＵ（ＳＩＭ）（Ｕｎｉｖｅｒｓａｌ  Ｓｕｂｓｃｒｉｂｅｒ  Ｉｄｅｎｔｉｔｙ  Ｍｏｄｕｌｅ）として知られる加入者識別カードを用いたネットワークにおける移動体装置の自動設定方法およびシステムに関する。
【背景技術】
【０００２】
現在、マルチメディア、写真、映像あるいは音声タイプの複合データへのアクセスは、様々な通信媒体や通信プロトコル、すなわちＷＡＰ、ＭＭＳ、ＧＰＲＳ、電子メール、ＳｙｎｃＭＬなどのサービスを介して行われている。こうしたアクセスを実行するには、予め様々な複合パラメータにより移動体を設定しておく必要がある。
モジュールの設定には、以下に示すように様々な方法がある。具体的には、製造者が工場で実施する予備設定や、カスタマーサービスの助けを借りてユーザが実行する手動設定などがある。
【０００３】
手動設定は、カスタマーサービスの口頭での説明により、順を追って実行することができる。あるいは、ユーザがインターネット上で設定要求を行うと、ＳＭＳなどのショートメッセージにより自動設定を実施したり、実行する操作の説明をインターネットのサイト上で閲覧できるようにしたりする。
【０００４】
これらの操作は、ユーザにとっては冗長で煩雑なものである。出願人はこの問題に鑑み、「ＧｅｍＣｏｎｎｅｃｔ  Ｄｅｖｉｃｅ  Ｍａｎａｇｅｒ」という名称の自動装置設定方法を発表した。この方法は、ＳＩＭカードを装置に挿入するたびに、ユーザに装置の設定を提示するものである。ユーザが受諾する場合には、この設定がネットワークを介して自動的に実行される。
【発明の開示】
【発明が解決しようとする課題】
【０００５】
しかし、現在のところ、ユーザが複数の装置を所有している場合、あるいはユーザが頻繁に場所を移動する場合、例えばネットワークのカバー範囲が異なる国を渡り歩くときや、現地の移動体事業者が最善のサービスおよび／またはアクセスを提供していないときには、ユーザには、自分の所有する装置や加入形態が利用可能なサービスをサポートするのはどの装置なのか、最適に機能するために設定を発効または再発効させる必要があるのか否かがわからない。
【０００６】
移動体・カード・ネットワーク間でのやりとりは規格化されており、現在のところ、移動体が設定されているか否か、そして、どんな方式で設定されているのかについて、移動体からデータを得て知ることはできない。
【０００７】
本発明の目的は、ユーザが同一のカードで頻繁に使用する複数の移動体を所有する場合であっても、できる限り早くかつ思慮深く移動体を設定できるようにすることである。
本発明の好適な実施例によれば、本発明の原理は、既に収集および保存された情報について、装置における設定の不具合または設定要件の分析と検出とに適したテストを実行することのできるアプリケーションプログラムからなる。
設定の不具合や設定要件は、リストアップされた指示やイベントの不在、および／または、装置の位置する地理的な場所、嗜好、要件、ユーザなどの検出されたイベントまたは基準に照らして検出されてもよい。
【課題を解決するための手段】
【０００８】
したがって、本発明の一実施例によれば、本発明の目的は、通信ネットワークにおいて加入者識別カードと協働する通信装置の設定を自動的に確立するための方法を提供することである。装置の設定は、加入者識別カードによりネットワーク上で識別子の検出および通信を行った後で、ネットワークを介して確立される。
この方法は、カードに保存されたイベントまたはイベントの不在により設定要件を検出する予備段階を有する点が顕著である。
【０００９】
このため、本発明が提供する方法は、少なくとも１つのテスト段階を備える。このテスト段階は、以下の条件のうち少なくとも１つが満たされていることを判断することからなる。
ａ）  現在の装置がカードにより既に識別されている。
ｂ）  装置が既に設定されている。
ｃ）  ユーザの設定操作が最大値に達している。
【００１０】
また、以下の特徴を備える。
・テストｂ）は現在の装置が所与の状況に関係して既に設定されているか否かを判断することからなる。
・この状況は、使用されているネットワークの表示および／または装置が位置する地理的な場所の表示および／またはネットワーク技術のタイプの表示および／またはネットワークの事業者の表示を備える。したがって、設定要件は、ネットワーク技術の表示および／またはネットワークの事業者の表示および／または基準に関する表示（または表示の不在）に従って検出されてもよい。
・メモリ領域には、カードと協働する装置の各識別子と、
−  装置が設定済みであるか否か
−  設定操作の回数
−  設定の状況
の一群のイベントから各装置の設定に関係するイベントとがリストアップされる。
操作の際、移動体の電源が入ると、アプリケーションは、既知の装置やリストアップされている装置の識別子のリストと識別子の値とを比較する。特定の要件が満たされると、アプリケーションは所定のサーバに装置の識別子を含む通知メッセージを伝送する。
【００１１】
サーバは、識別子のモデルおよびタイプを判断するために、識別子の値を分析することができる。この情報は、例えば、遠隔設定のためのプロトコルや利用できるサービス（電子メール、マルチメディアＭＭＳ、ＷＡＰブラウザなど）、可能な最善のサービスを提供するための履歴状況など、装置の最高の能力を知るために用いられる。
【００１２】
本発明の別の目的は、通信装置のための無線通信ネットワークシステムを提供することである。この無線通信ネットワークシステムは、ネットワークを介して、装置を自動設定するためのサーバを備える。このシステムに特徴的なのは、
・カードと協働する装置の識別子と、各装置の設定に関係するイベントとをリストアップする少なくとも１つのメモリ領域と、
・イベントをリストアップし、これらのイベントに従って設定要件を検出することのできる少なくとも１つのアプリケーションと、を備えることである。
【００１３】
本発明の別の目的は、通信ネットワークにおける通信サービスを可能にするために、移動体通信装置と協働できる加入者識別カードを提供することである。
このカードに特徴的なのは、カードと協働する各装置の設定に関係するイベントをリストアップするとともに、アプリケーションによって保存されたイベントまたはイベントの不在に従って装置の設定要件を検出することのできるアプリケーションを備えている点である。
【００１４】
具体的には、このカードは、ネットワーク技術のタイプやネットワーク事業者など、設定や設定の様々な状況に関係するあらゆる情報をリストアップすることができる。同様に、このカードは、装置が設定されているか否か、設定操作の回数、ユーザの受諾または拒否、ユーザの設定の好みなど、カードすなわちユーザによって送信される情報をリストアップすることが可能である。
【発明を実施するための最良の形態】
【００１５】
本発明の実施例を図面を用いて説明する。
図１において、本発明は携帯通信装置２のための通信ネットワークシステム１を利用する。携帯通信装置２は移動体ＭＥとして図示されており、ＳＩＭまたは（Ｕ）ＳＩＭと呼ばれる加入者識別カード３と協働する。
各移動体はメモリに保存された識別子ＩＭＥＩを備える。いくつかのネットワークがあってもよいし、多様な特徴を有してもよい。ネットワークは、具体的には、ＧＳＭ、ＧＰＲＳ、ＵＭＴＳ、ＷＬＡＮなどのタイプであってもよい。
また、ネットワークは、ＭＭＳタイプの高度なマルティメディアデータ、あるいは映像または音声ストリームを伝達してもよい。
【００１６】
本例におけるシステムは、ショートメッセージチャネルＳＭＳにより遠隔通信ネットワークに接続された設定サーバ４を備える。このサーバ４は、具体的には
・ＳＩＭカードの要求により伝送される移動体識別子を受信する手段５と、
・移動体の容量を表す識別子ベース６と、
・ユーザの加入形態に関係し、ユーザが利用可能なサービスを表示するデータベース６ａと、
・設定プロファイルベース６ｂと、
・各識別子に対応し、加入者識別カードの主導で送信された設定要求通知の受信に応じて必要または最適な設定を識別することのできる処理手段７と、
・識別子ＩＭＥＩを含む通知の受信に応じて、処理手段７により割り出された移動体からの設定指示を伝送することのできる伝送手段８と、
・スマートメッセージング（登録商標）、ＷＡＰ（登録商標）、ＷＬＡＮやその他の標準プロトコルまたは独自のプロトコルをサポートし、移動体の特異性に従って通信を行うことを可能にする移動体インターフェース９またはアダプタと、を備える。
【００１７】
システムは、後述する移動体の設定に関係するイベントをリストアップすることを目的としたメモリ領域１０を備える。この領域１０は便宜上、例（図２）に示すように、カード３のチップ１１の内部にあるのが好ましい。
ユーザが装置を交換したり、新しい装置と取り替えたりできるように、ユーザの装置２は複数あってもよい。適用できる場合には、ユーザはカード３を第三者の移動体に挿入したり、第三者の移動体の１つを借りてもよい。
【００１８】
加入者識別カードの電子チップ１１は、既知の方法で、データおよび制御バスを介してプログラムメモリＲＯＭと、プログラム可能なメモリ１２と、ランダムアクセスメモリＲＡＭとに接続されたプロセッサを備える。プログラムメモリＲＯＭは、具体的にはカードおよび特定のアルゴリズムのためのオペレーティングシステムを備える。
プログラム可能なメモリ１２、特にＥＥＰＲＯＭタイプのメモリは、ユーザに関するデータ、または通信サービスおよび特定のアプリケーション１２、１３を認証するための関連した暗号化鍵（ＩＭＳＩ、Ｋｉ）を使用した加入に関するデータを備える。カードは移動体と協働することが可能である。移動体は例えば電話、携帯情報端末ＰＤＡ、携帯型コンピュータまたはその他の通信機能および通信インターフェースを有する装置であってもよい。
【００１９】
ある特性によると、カードはアプリケーションプログラム１２を備える。このアプリケーションプログラム１２はアプリケーションと称され、プログラム可能なメモリ内に格納されていて、そのアプリケーションが内蔵されている移動体における設定要件を検出することができる。この移動体を現在の装置と称す。アプリケーションは、例えばＳＩＭツールキットタイプであってもよい。すなわち、アプリケーションは、ＧＳＭ１１．１４の規格に従っていくつもの命令を使用し、特に移動体への命令のイニシアティブをとるという点でカードが「積極的」になることを可能にしてもよい。カードプロセッサがプログラムを実行する間、カードは移動体から識別コードＩＭＥＩを含むメッセージの送信を受ける。本例においては、カード自体が移動体との交換を行う。
【００２０】
ある特性によると、アプリケーション１２はまず移動体の設定に関する次のイベントの履歴をメモリ領域にリストアップする。メモリ領域は、テーブル１３（図４）すなわち、ユーザの装置の列の先頭にイベント（ＳＴ、ＣＰＴ、Ｚ…）を、行の先頭には識別子（Ａ、Ｂ、Ｌ、Ｃ）を含むＦＩＦＯレジスタを備える。
本例においてリストアップされたイベントは、状態、移動体が設定されている（Ｐ）か否（Ｕ）か、ユーザによる設定操作（ＣＰＴ）の数、設定の状況（Ｚ）などを含む。設定の状況（Ｚ）に関しては、設定時に移動体が位置する地理的領域の場合もある。
【００２１】
本発明では、他の状況や環境も考慮する。例えば、ネットワークの技術のタイプ（ＷＬＡＮ、ＧＰＲＳなど）、ネットワーク事業者、設定の種類、日付などである。
続いて考慮されるのは、図３および５に示す本発明の方法の実装との関連におけるイベントである。図３および５は既知の移動体Ｌと新しい移動体Ａについて示すもので、両移動体ともＷＡＰブラウザを有する。
【００２２】
図３において、本発明の方法は、以下の段階と、縦線で示すようにサーバシステム、ユーザ、移動体、カードのエンティティ間で行われる相互作用とを備える。
加入者識別カードＳＩＭ、（Ｕ）ＳＩＭを備える通信装置すなわち移動体「Ｌ」は、電源が入る（１１０）と、標準的なスタートアップ・プロシージャを確立する（図示せず）。
【００２３】
次に、本発明の方法は、設定要件を検出するための予備段階を実行する。
カードが移動体識別子の値（Ｌ）を回復する（１２０）と、この値（Ｌ）をネットワークを経由して伝送したりユーザの同意を求める前に、第１比較テスト１３０が実行され、移動体がカードにとって新しい移動体であるか否かを確かめる。
第１比較テスト１３０は、テーブル１３Ａの中に値（Ｌ）の存在を捜索する。図４（ｂ）には、移動体Ｌに付随して初期値Ｕおよび１が示されている。これらの値はそれぞれ、移動体Ｌが設定されておらず、ユーザは既に一度設定を拒否したことを意味する。
【００２４】
捜索の結果、値（Ｌ）が発見されない場合には、図５に示すサブプログラム１４０に移る。
逆に、値（Ｌ）が発見され、移動体がカードに認識されている場合には、プログラムは第２テスト１５０へと進む。第２テスト１５０は、移動体の状態を判断するものである。この場合、移動体が既に設定されているか否かが判断される。このテストは、値（Ｌ）に対応する値（Ｐ）または（Ｕ）を読み取るものである。
値が移動体が既に設定されていることを示す場合には、プログラムは停止し、ユーザはネットワークサーバでのさらなる操作を行うことなく直ちに移動体を普通に使用する。
【００２５】
一方、値が移動体が設定されていないことを示す（図面中ではＮｏに進む）場合には、設定が必要であるとみなされ、プログラムは第３テスト１６０に切り替わる。第３テスト１６０は、以前ユーザが移動体において実行した自動設定操作の回数が、所定の閾値、例えば「３」より低いか否かを判断するものである。
このため、カードはメモリ領域を備え、メモリ領域はカウンタを備える。カウンタは、本実施例においては、テーブル中の領域ＣＰＴにより表される。この領域には操作回数を表す値が示される。
【００２６】
操作カウンタが閾値を超えている場合には、プログラムは終了する。したがって、ユーザが事実上必要としない余計な設定操作を行うことが避けられる。
カウンタが閾値を超えていない場合には、ユーザに対して移動体のスクリーンに段階１８０（「移動体を設定？」）が表示される。ユーザが応答すると、段階１９０において確認が行われる。ユーザが拒否する場合には、段階２００（図４（ｃ））において操作カウンタの値は２に増加され、プログラムが終了する。
【００２７】
ユーザが自動設定を承認する場合には、プログラムは段階２２０に移り、テーブル中の状態の列を更新して、移動体が設定されることを示す「Ｐ」を表示する。また、ＣＰＴの列には「０」を表示する（図４（ｄ））。
続いて、カードはネットワークを経由して通知メッセージ２３０を移動体の識別子（Ｌ）とともに送信し、自動設定を行う。
【００２８】
段階２４０において、サーバは移動体の識別子からＷＡＰブラウザの設定パラメータを準備するとともに、移動体Ｌがサポートする遠隔設定プロトコルを用いて、この設定パラメータをフォーマットする。ここに例を示す。
＊  ホームページ：  ｗａｐ．ｈｏｍｅ．ｃｏｍ
＊  ＷＡＰゲートウェイのＩＰアドレス：  １２３．４５６．１２３．４５６
＊  ＷＡＰゲートウェイポート：  ４２０１
＊  ＷＡＰゲートウェイユーザ識別子：  ｗａｐ
＊  ＷＡＰゲートウェイパスワード：  ｗａｐ
＊  ＧＰＲＳアクセスポイント名：  ａｐｎ．ｇｐｒｓ．ｗａｐ
【００２９】
移動体Ｌはこうしたパラメータを受信し、メモリに格納する。これは、ユーザの確認後にＷＡＰブラウザの設定を行うためである。その後設定プログラムは終了し、ユーザはブラウザを使用してＷＡＰサイトへアクセスすることができる。
状態テーブルの更新は、設定が成功裏に完了した後でも行うことができる。
一方、第１テスト１３０で図面中Ｙｅｓの方向へ進んだとき、すなわち新しい移動体が検出されたときには、プログラムはサブプログラム１４０に切り替わる。図５にサブプログラム１４０を示す。
【００３０】
本発明による方法の好適な実施例においては、段階２６０において、サブプログラムは設定についてユーザの同意を求め、ユーザの応答を確認する。
段階２７０において、プログラムは、ユーザが設定を承認するか否かを知るためのテストを進行する。承認する場合には、プログラムは新しい識別子Ａをテーブル１３Bに追加し、設定された状態「Ｐ」を表示するとともに、操作カウンタを「０」にセットする。
一方、ユーザが設定を拒否する場合、プログラムは段階２８０においてテーブルに新しい識別子を追加し、設定されていない状態「Ｕ」を表示するとともに、操作カウンタを「１」にセットする（図６（ｂ））。
【００３１】
本発明による方法の好適な実施例によれば、ユーザの意見は要求されず、設定はユーザに知られることなくトランスペアレントに行われる。
次に、プログラムは段階２９０に進み、テーブル１３Bに移動体の識別子Ａを直接追加して、状態を更新して「Ｐ」を表示するとともに、操作の回数「０」を表示する（図６）。
【００３２】
次に、段階２３０と同様に、段階３００においてサーバに通知メッセージが送信され、設定が発効される。
設定の状況に関連したパラメータなどを記載するために、テーブルには他の列が追加されてもよい。列は、例えば、地理的領域の表示（ＧＢ、ＦＲ等の国名など）、ネットワーク技術のタイプ（ＷＬＡＮ、ＧＰＲＳなど）、ネットワーク事業者、設定のバージョン、日付などの表示を含んでもよい。
【００３３】
したがって、例えば、移動体が位置する地理的領域における事業者のＷＬＡＮ、ＧＰＲＳまたはＵＭＴＳネットワークが要求されてもよい。同様に、ある地理的領域ではアクセス可能だが他の領域ではアクセスできないサービスが要求されてもよい。
設定に関係するデータ、特に状況に関係するデータは、カードが利用してもよい。あるいは、分析のためにサーバに送信され、ユーザへのより良いサービスの提供を可能にするような特定の操作をトリガしてもよい。
【００３４】
本発明は、ユーザが選択する指示や基準により、装置をさらに効果的に設定することができる。
例えば、ユーザはネットワーク技術のタイプや新しい事業者を選択し、最適化された設定を手に入れる。設定提案や設定は、装置が位置する場所によって発効してもよい。装置の位置はネットワークにより自動的に検出される。逆に、ユーザはサーバから自分が位置する地理的な場所を表示してもらい、自分の選択に従って最適化された設定のもとで装置を使用してもよい。
【００３５】
操作中、図３および５に示すアプリケーションプログラムは、カードの挿入によってではなく、技術および／事業者などの選択を含む装置のメニューにおいてユーザの指示または選択によってトリガされるスタートアップ段階を備えていれば十分である。本発明のプログラムは、自動設定を発効または提案する前に、装置が保存されているイベントの中から所与の状況および所与の基準に従って、設定済みであるか否かを確認する。
【図面の簡単な説明】
【００３６】
【図１】本発明により用いられる通信ネットワークシステムを説明する図である。
【図２】本発明により用いられるＳＩＭチップカード構造を示す図である。
【図３】周知の移動体の場合における本発明による設定方法を説明する図である。
【図４】（ａ）は設定に関係する移動体状態テーブルの図であり、（ｂ）,（ｃ）,（ｄ）は状態テーブルにおける値の様々な変化を説明する図である。
【図５】新しい移動体の場合における本発明による設定方法を説明する図である。
【図６】（ａ）は新しい移動体の場合における設定に関係する移動体状態テーブルの図であり、（ｂ）,（ｃ）は状態テーブルにおける値の様々な変化を説明する図である。
【符号の説明】
【００３７】
１    通信ネットワークシステム
２    携帯通信装置
３    加入者識別カード
４    設定サーバ
５    移動体識別子受信手段
６    識別子ベース
６ａ    データベース
６ｂ    設定プロファイルベース
７    処理手段
８    伝送手段
１０    メモリ領域
１１    電子チップ
１２    アプリケーション
１３    テーブル
【図１】
2005168033.tif 000003
【図２】
2005168033.tif 000004
【図３】
2005168033.tif 000005
【図４】
2005168033.tif 000006
【図５】
2005168033.tif 000007
【図６】
2005168033.tif 000008
【外国語明細書】
2005168033000001.pdf